【事件の表示】
　特願２０１０−５２５７４４「ゴルフ場のピン位置確認装置および該ゴルフ場のピン位置確認装置における発光部の登録方法」拒絶査定不服審判事件〔平成２１年　３月２６日国際公開、ＷＯ２００９／０３８２９９、平成２２年１２月２４日国内公表、特表２０１０−５４００１７、請求項の数（１）〕について、次のとおり審決する。
【結　論】
　原査定を取り消す。
　本願の発明は、特許すべきものとする。
【理　由】
第１．手続の経緯
　本件出願は、２００８年９月５日（パリ条約による優先権主張２００７年９月２０日、韓国）を国際出願日とする出願であって、平成２４年１０月３１日付けで手続補正がなされ、同年１１月２７日付けで拒絶の査定がなされ、平成２５年４月４日に拒絶査定に対する審判の請求がなされると同時に手続補正書が提出されて特許請求の範囲を補正する手続補正がなされ、これらに対し、同年８月６日付けで審尋がなされ、同年１１月１３日に回答書が提出されたものである。
　
第２．平成２５年４月４日付け手続補正書による補正（以下「本件補正」という。）の適否
１．補正の内容
　本件補正は、特許請求の範囲の請求項１を、
「ゴルフ場のピン位置確認装置において、
　フラッグが付けられ
ホールピンとして用いられる
　前記リモコン部は、
　無線送受信部と、
　制御対象発光部を選択する制御対象設定部と、
　発光部の点消灯を指令する実行ボタンと、
　登録モードでスキャンを通じて無線受信された制御対象発光部の固有ＩＤを前記制御対象設定部のリモコン制御対象識別子と整合して内部メモリに登録されるように制御し、前記実行ボタンの入力に応じて前記内部メモリに登録されたリモコン制御対象識別子に整合された固有ＩＤを有する発光部に点消灯指令を前記無線送受信部を介して無線伝送するリモート制御部と、
を備え、
　
前記ピン位置確認用の発光部は、表面実装型発光ダイオードと、太陽電池部と、押下ボタンと、を備える、
と補正するものである。（下線は審決で付した。以下同じ。）
　
２．補正の適否
　本件補正は、請求項１に係る発明を特定するために必要な事項である「旗竿」に関し、「ホールピンとして用いられる」と限定し、また「ピン位置確認用の発光部」に関し、「表面実装型発光ダイオードと、太陽電池部と、押下ボタンと、を備える」と限定するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、及び第４項に違反するところはない。
　そこで、本件補正後の前記請求項１に係る発明（以下「本願補正発明」という。）が、特許出願の際独立して特許を受けることができるものであるか（特許法第１７条の２第６項において準用する同法第１２６条第７項の規定に適合するか）について以下に検討する。
　
（１）引用例
（ア）引用例１
　原査定の拒絶の理由に引用された、本願の優先日前に頒布された「特開２００３−１９０３４５号公報 」（以下「引用例１」という。）には、次の事項が記載されている。
・「
ゴルフコースのティグラウンドからグリーン奧に向けて所定間隔で配置されたストロボ発光する複数のストロボ標示装置に、外部から送信された発光制御信号を受信した時に、ストロボ発光素子に発光開始信号を出力する信号受信部と、
前記ストロボ標示装置を、ボールを打つ方向に対応させて任意に特定し、この特定したストロボ標示装置の信号受信部に任意のタイミングで発光制御信号を送信する個人携帯の信号送信部とを備えて構成した
ゴルフコース用ストロボ点灯制御システム
・「
送信機ＴＲ
には、
各ホールを選択するダイヤル式のホール選択スイッチＤ１、ゴルフコースにおいてティグラウンド、１５０ヤード地点、３００ヤード地点、４５０ヤード地点、グリーン奥のそれぞれの地点に設置されたストロボ標示装置を選択するプッシュボタンＰ１〜Ｐ５、
を配置してある
・「
受信機ＲＣ
には、
文字盤の表面に円周方向に刻まれた１番ホール〜１８番ホールを示す数字１から１８にノブＮを合わせることで各ホールを選択するダイヤル式のホール選択スイッチＤ２、ティグラウンド、１５０ヤード地点、３００ヤード地点、４５０ヤード地点、グリーン奥を選択するキーボタンスイッチＳＷ１〜ＳＷ５が
配置されている
・「図２は各地点に配置されたストロボ標示装置ＳＴの構成を示す斜視図である。この
ストロボ標示装置ＳＴは
下部に３本の脚Ｓを
装着した筺体Ｃ内に、
受信機ＲＣ
が
収納される
筺体Ｃの上面にはパイプＰを介し、発光管Ｌ
が配置されている
・「
例えば、ストロボ標示装置ＳＴが７番ホールの１５０ヤード地点に配置されたならば、ホール選択スイッチＤ２を７に合わせ、２番目のキーボタンスイッチＳＷ２を押下する
自己が７番ホールの１５０ヤード地点に配置されていることを認識する認識コードをロジックレベル「１」、「０」の組み合わせで生成し、
デジタルコンパレータに設定する
・「このように各ストロボ標示装置ＳＴに配置された受信機ＲＣでは、ホール選択スイッチＤ２およびキーボタンスイッチＳＷ１〜ＳＷ５を操作して各受信機ＲＣに設置場所を予め認識させる。
そして、送信機ＴＲより
７番ホールの１５０ヤード地点に配置されたストロボ標示装置ＳＴを特定するロジックレベル「１」、「０」の組み合わせで生成されたコード化発光制御信号が送信され
、各ストロボ標示装置の受信機ＲＣは発光制御信号を受信してデジタルコンパレータに入力して、設定された認識コードと発光制御信号のコードとを比べる
双方のコードが一致した受信機ＲＣのみ
発光管Ｌ
を
ストロボ発光させる
・「ここで、プレーヤがキャディに、例えば７番ホールの３００ヤード地点にあるストロボ標示装置ＳＴの発光管Ｌを発光させるように指示すると、キャディは
送信機ＴＲのホール選択スイッチＤ１を７に合わせ、３番目のプッシュボタンスイッチＰ３を押下する
　また、図１には、以下の事項が看取できる。
・「
各プッシュボタンＰ１〜Ｐ５には、それぞれの地点を示す数字１から５が示されている
　これらの記載事項、及び図示内容を総合すると、引用例１には、次の発明（以下「引用発明１」という。）が記載されているものと認められる。
「ゴルフコースのティグラウンドからグリーン奧に向けて所定間隔で配置されたストロボ発光する複数のストロボ標示装置に、外部から送信された発光制御信号を受信した時に、ストロボ発光素子に発光開始信号を出力する信号受信部と、前記ストロボ標示装置を、ボールを打つ方向に対応させて任意に特定し、この特定したストロボ標示装置の信号受信部に任意のタイミングで発光制御信号を送信する個人携帯の信号送信部とを備えて構成したゴルフコース用ストロボ点灯制御システムであって、送信機ＴＲには、文字盤の表面に円周方向に刻まれた１番ホール〜１８番ホールを示す数字１から１８にノブＮを合わせることで各ホールを選択する各ホールを選択するダイヤル式のホール選択スイッチＤ１、ゴルフコースにおいてティグラウンド、１５０ヤード地点、３００ヤード地点、４５０ヤード地点、グリーン奥のそれぞれの地点に設置されたストロボ標示装置を選択するプッシュボタンＰ１〜Ｐ５を配置され、各プッシュボタンＰ１〜Ｐ５には、それぞれの地点を示す数字１から５が示され、受信機ＲＣには、文字盤の表面に円周方向に刻まれた１番ホール〜１８番ホールを示す数字１から１８にノブＮを合わせることで各ホールを選択するダイヤル式のホール選択スイッチＤ２、ティグラウンド、１５０ヤード地点、３００ヤード地点、４５０ヤード地点、グリーン奥を選択するキーボタンスイッチＳＷ１〜ＳＷ５が配置されており、ストロボ標示装置ＳＴには下部に３本の脚Ｓを装着した筺体Ｃ内に、受信機ＲＣが収納され、筺体Ｃの上面にはパイプＰを介し、発光管Ｌが配置されており、例えば、ストロボ標示装置ＳＴが７番ホールの１５０ヤード地点に配置されたならば、ホール選択スイッチＤ２を７に合わせ、２番目のキーボタンスイッチＳＷ２を押下すると、自己が７番ホールの１５０ヤード地点に配置されていることを認識する認識コードをロジックレベル「１」、「０」の組み合わせで生成し、デジタルコンパレータに設定し、そして、送信機ＴＲのホール選択スイッチＤ１を７に合わせ、３番目のプッシュボタンスイッチＰ３を押下すると、送信機ＴＲより７番ホールの１５０ヤード地点に配置されたストロボ標示装置ＳＴを特定するロジックレベル「１」、「０」の組み合わせで生成されたコード化発光制御信号が送信され、各ストロボ標示装置の受信機ＲＣは発光制御信号を受信してデジタルコンパレータに入力して、設定された認識コードと発光制御信号のコードとを比べて、双方のコードが一致した受信機ＲＣのみ、発光管Ｌをストロボ発光させるゴルフコース用ストロボ点灯制御システム。」
（イ）引用例２
　同様に引用された、本願の優先日前に頒布された「特開２００２−８５６１２号公報 」（以下「引用例２」という。）には、次の事項が記載されている。
・「
ゴルフコースのピンフラッグの位置を示すものであって、
ピンフラッグ用のポールと、このポールに固定される透光性のケースと、
前記ケースに収納され、所定の時間間隔でＬＥＤ光を点滅させるＬＥＤ発光ユニットとを備えた
ゴルフコース用標示物のＬＥＤ標示装置
・「【発明の実施の形態】以下、本発明の実施の形態を図面に基づいて説明する。図１は、本発明の第１実施形態によるピンフラッグ用のＬＥＤ標示装置を示す側面図、図２はその斜視図である。ＬＥＤ標示装置１は、
ピンフラッグ用のポール２の上部に
ケース３が取り付けられる
このケース３にＬＥＤ発光ユニット５、太陽電池６
が収納される
・「
ケース３の上端部には蓋９が設けられる
・「
蓋９の上面中央には
ポール２の旗部２ａが固定される
　これらの記載事項を総合すると、引用例２には、次の発明（以下「引用発明２」という。）が記載されているものと認められる。
「ゴルフコースのピンフラッグの位置を示すものであって、ピンフラッグ用のポールと、このポールに固定される透光性のケースと、前記ケースに収納され、所定の時間間隔でＬＥＤ光を点滅させるＬＥＤ発光ユニットとを備えたゴルフコース用標示物のＬＥＤ標示装置であって、ピンフラッグ用のポール２の上部にケース３が取り付けられ、このケース３にＬＥＤ発光ユニット５、太陽電池６が収納され、ケース３の上端部には蓋９が設けられ、蓋９の上面中央にはポール２の旗部２ａが固定されるＬＥＤ標示装置。」
（ウ）引用例３
　同様に引用された、本願の優先日前に頒布された「特開２００３−２８４１６９号公報 」（以下「引用例３」という。）には、次の事項が記載されている。
・「
複数の同じ機種の家電機器と電波を介してデータ信号を双方向に交換するリモコン装置であって、該リモコン装置は、初期設定時において、周辺に位置する同じ機種の全ての家電機器に対して、自身が属する住戸と用途に関する情報を有するＩＤコードを含むデータ信号を送り返してくることを要求する要求信号を発するとともに、送り返されてきた個々のデータ信号の電波強度を、所定時間、平均化処理に基づいて、選択したデータ信号に含まれるＩＤコードを、通信相手のＩＤコードとして登録するように構成した
リモコン装置
・「それぞれの通信制御部の構成要素と働きについて説明する。まず、
エアコン室内機に内蔵されている通信制御部２４
２５は、エアコン２０の制御手段である
２６は、制御手段２５によって制御され、ＩＤコードやリモコン装置２２のデータなどを電気信号として出力する無線信号出力手段である
・「
２８は、アンテナ２７によって受信され、電気信号に変換された信号を復調し、
フォーマット形式のデータ信号に変換して制御手段２５に入力する無線信号受信手段である
２９は、機体識別コードや所属識別コードからなるＩＤコードを記憶する識別コード記憶手段である
・「次に、
リモコン装置２２に内蔵されている通信制御部３０
３１は、リモコン装置２２の制御手段である
無線信号受信手段３２は入力された電気信号を復調し、
フォーマット形式のデータ信号に変換し、制御手段３１に入力する
・「また、電波強度検出手段３３は、アンテナ３４から入力された電気信号を、例えば信号強度に比例した０〜５Ｖのアナログ信号またはディジタル信号などに変換する。この変換された信号は、無線信号（電波）の強度を示す信号として制御手段３１に入力される。
３５は、制御手段３１により書込み／読出しが可能な不揮発性メモリによって構成された識別コード記憶手段である
３６は、制御手段３１から送信されてくる
フォーマット形式のデータ信号を変調する信号変調手段である
・「ここで、
信号変調手段３６から出力される変調信号をもとに、アンテナに対して、
インピーダンスを切替えるスイッチング動作を行う
エアコン室内機Ａ２０またはＢ２１から送出される電波はアンテナによって反射される
反射電波にリモコン装置２２からのデータ信号を変調信号としてのせて室内機Ａ２０ないしＢ２１に送り返す
このようにして双方向通信が行われる
・「次に、このように構成されているエアコン室内機とリモコン装置２２のペアリングについて説明する。ペアリングは、
リモコン装置２２が通信相手となる特定のエアコン室内機のＩＤコードだけを取得し、これを登録する
・「本発明のリモコン装置は、電波を使用した制御システムにおいて制御対象（
家電機器
と
リモコン装置
の対応付けが、リモコン装置の最も近くにあるといったエンドユーザに容易に理解される形でなされる
　これらの記載事項を総合すると、引用例３には、次の発明（以下「引用発明３」という。）が記載されているものと認められる。
「複数の同じ機種の家電機器と電波を介してデータ信号を双方向に交換するリモコン装置であって、該リモコン装置は、初期設定時において、周辺に位置する同じ機種の全ての家電機器に対して、自身が属する住戸と用途に関する情報を有するＩＤコードを含むデータ信号を送り返してくることを要求する要求信号を発するとともに、送り返されてきた個々のデータ信号の電波強度を、所定時間、平均化処理に基づいて、選択したデータ信号に含まれるＩＤコードを、通信相手となる特定のＩＤコードとして登録するように構成して、家電機器とリモコン装置の対応付けが、リモコン装置の最も近くにあるといったエンドユーザに容易に理解される形でなされるリモコン装置でおいて、エアコン室内機に内蔵されている通信制御部２４は、エアコン２０の制御手段２５と、制御手段２５によって制御され、ＩＤコードやリモコン装置２２のデータなどを電気信号として出力する無線信号出力手段２６と、アンテナ２７によって受信され、電気信号に変換された信号を復調し、フォーマット形式のデータ信号に変換して制御手段２５に入力する無線信号受信手段２８と、機体識別コードや所属識別コードからなるＩＤコードを記憶する識別コード記憶手段である２９とを備え、リモコン装置２２に内蔵されている通信制御部３０は、リモコン装置２２の制御手段３１と、入力された電気信号を復調し、フォーマット形式のデータ信号に変換し、制御手段３１に入力する無線信号受信手段３２と、制御手段３１により書込み／読出しが可能な不揮発性メモリによって構成された識別コード記憶手段３５と、制御手段３１から送信されてくるフォーマット形式のデータ信号を変調する信号変調手段３６とを備え、信号変調手段３６から出力される変調信号をもとに、アンテナに対して、インピーダンスを切替えるスイッチング動作を行うことによりエアコン室内機Ａ２０またはＢ２１から送出される電波はアンテナによって反射され、その際に、反射電波にリモコン装置２２からのデータ信号を変調信号としてのせて室内機Ａ２０ないしＢ２１に送り返して双方向通信が行われるリモコン装置。」
（エ）引用例４
　同様に引用された、本願の優先日前に周知の技術事項の周知例をして挙げられた「登録実用新案第３０５４９７２号公報 」（以下「引用例４」という。）には、次の事項が記載されている。
・「
ゴルフ用ピンの細棒先端に適時に発光させることを可能となした発光具
・「
発光具３は、
　即ち、
細棒２の旗２ａの先端部と係合止着される筒体４を備えている
ネジ手段等により脱着係合がなされる
　これらの記載事項を総合すると、引用例４には、次の事項（以下「引用例４に記載された事項」という。）が記載されているものと認められる。
「ゴルフ用ピンの細棒先端に適時に発光させることを可能となした発光具であって、細棒２の旗２ａの先端部とネジ手段等により係合止着される筒体４を備えている発光具。」
（エ）引用例５
　同様に引用された、本願の優先日前に周知の技術事項の周知例をして挙げられた「特開２００３−３４５２７６号公報 」（以下「引用例５」という。）には、次の事項が記載されている。
・「【発明の属する技術分野】本発明は、
フラッグピンの位置確認をする為の
表示灯
・「【発明の実施の形態】この発明の第１の実施の形態の表示灯具を図２ないし図３ないし図４に基づいて説明する。図２はこの発明の第１の実施の形態の表示灯具をゴルフ場におけるグリーンにあるカップに差し込んであるフラッグピンに設けた状況図、図３は前記状況図のこの発明の実施の形態の表示灯具を設置した状態を表した拡大図。図４はこの発明の実施の形態の表示灯具の全体構成を示す断面図である。図２ないし図３において、図３の３−１はこの発明の表示灯具、３−２はフラッグ、３−３はフラッグ取り付け金具、３−４はフラッグピン、図２はこの発明の前記フラッグピンに設けて点灯あるいは点滅している状況を表す。図４において、４−１は発光ポール、４−２はポール受け、４−３は高輝度ＬＥＤ、４−４はＬＥＤソケット、４−５はバッテリ、４−６はバッテリケース本体、４−７は接点バネ付きスイッチ、４−８はスイッチ押しバネ、４−９はスイッチ押しキャップ、４−１０は固定金具、４−１１はシールリング、４−１２はシールリング、４−１３はシールリング，４−１４は通電金具である。この表示灯具を図４に基づいて説明すると、高輝度ＬＥＤ４−３をバッテリ４−５により点灯または点滅させ上部に光の透過性の高い発光性のある合成樹脂でできたポール４−１を発光させる構造である。この場合
前記フラッグピンの上部に螺旋状の溝のある固定金具４−１０を取り付け
表示灯具３−１
」（段落【０００５】）
　これらの記載事項を総合すると、引用例５には、次の事項（以下「引用例５に記載された事項」という。）が記載されているものと認められる。
「フラッグピンの位置確認をする為の表示灯であって、前記フラッグピンの上部に螺旋状の溝のある固定金具４−１０を取り付けた表示灯。」
　
（２）対比
　そこで、本願補正発明と引用発明１とを対比すると、
　後者における「『ストロボ標示装置』、及び『ストロボ標示装置ＳＴ』」は、その機能、作用等からみて、前者における「発光部」に相当し、以下同様に、「『信号送信部』、及び『送信機ＴＲ』」は「リモコン部」に、「『ホール選択スイッチＤ１』、及び『プッシュボタンＰ１〜Ｐ５』」は「制御対象設定部」に、「『（ホール選択スイッチＤ１に刻まれた１番ホール〜１８番ホールを示す）数字１から１８』、及び『（プッシュボタンＰ１〜Ｐ５に示されたそれぞれの地点を示す）数字１から５』」は「リモコン制御対象識別子」に、「識別コード」は「固有ＩＤ」に、それぞれ相当する。
　また、後者における「プッシュボタンＰ１〜Ｐ５」は、押下されると、ストロボ標示装置の発光管Ｌをストロボ発光させるから、前者における「実行ボタン」に相当する。
　また、後者における「ゴルフコース用ストロボ点灯制御システム」と前者における「ゴルフコースのティグラウンドからグリーン奧に向けて所定間隔で配置されたストロボ発光する複数のストロボ標示装置」とは、「ゴルフ場のグリーン位置確認装置」との概念で共通する。
　また、後者における「（ストロボ標示装置の）『信号受信部』、及び『受信機ＲＣ』」は、「無線受信部」を有することは明らかであり、この「無線受信部」と前者における「（発光部の）無線送受信部」とは、「（発光部の）無線部」との概念で共通する。
　また、後者における「『信号送信部』、及び『送信機ＴＲ』」は、「無線送信部」を有することは、明らかであり、この「無線送信部」と前者における「（リモコン部の）無線送受信部」とは、「（リモコン部の）無線部」との概念で共通する。
　また、後者における「『ストロボ発光素子』、及び『発光管Ｌ』」と前者における「表面実装型発光ダイオード」とは、「発光素子」との概念で共通する。
　また、後者は、「例えば、ストロボ標示装置ＳＴが７番ホールの１５０ヤード地点に配置されたならば、ホール選択スイッチＤ２を７に合わせ、２番目のキーボタンスイッチＳＷ２を押下すると、自己が７番ホールの１５０ヤード地点に配置されていることを認識する認識コードをロジックレベル「１」、「０」の組み合わせで生成し、デジタルコンパレータに設定」するから、「ストロボ標示装置は、識別コードを有する」ものといえる。
　また、後者における「『信号送信部』、及び『送信機ＴＲ』」は、例えば、送信機ＴＲのホール選択スイッチＤ１を７に合わせ、３番目のプッシュボタンスイッチＰ３を押下すると、送信機ＴＲより７番ホールの１５０ヤード地点に配置されたストロボ標示装置ＳＴを特定するロジックレベル「１」、「０」の組み合わせで生成されたコード化発光制御信号が送信され、対応するストロボ標示装置の発光管Ｌをストロボ発光させるから、「ストロボ標示装置の点消灯を無線にて遠隔制御する」ものといえる。
　また、後者における「『ホール選択スイッチＤ１』、及び『プッシュボタンＰ１〜Ｐ５』」は、それぞれ文字盤の表面に円周方向に刻まれた１番ホール〜１８番ホールを示す数字１から１８にノブＮを合わせることで各ホールを選択する各ホールを選択するダイヤル式のホール選択スイッチＤ１、ゴルフコースにおいてティグラウンド、１５０ヤード地点、３００ヤード地点、４５０ヤード地点、グリーン奥のそれぞれの地点に設置されたストロボ標示装置を選択するプッシュボタンＰ１〜Ｐ５であるから、「制御対象ストロボ標示装置を選択する」ものといえる。
　また、後者における「プッシュボタンＰ１〜Ｐ５」は、押下されると、ストロボ標示装置の発光管Ｌをストロボ発光させるから、「ストロボ標示装置の点消灯を指令する」ものといえる。
　また、後者における「『信号送信部』、及び『送信機ＴＲ』」は、送信機ＴＲのホール選択スイッチＤ１を７に合わせ、３番目のプッシュボタンスイッチＰ３を押下すると、送信機ＴＲより７番ホールの１５０ヤード地点に配置されたストロボ標示装置ＳＴを特定するロジックレベル「１」、「０」の組み合わせで生成されたコード化発光制御信号が送信され、各ストロボ標示装置の受信機ＲＣは発光制御信号を受信してデジタルコンパレータに入力して、設定された認識コードと発光制御信号のコードとを比べて、双方のコードが一致した受信機ＲＣのみ、発光管Ｌをストロボ発光させるから、「プッシュボタンＰ１〜Ｐ５の入力に応じて登録された送信機ＴＲが制御対象とするホール選択スイッチＤ１に刻まれた１番ホール〜１８番ホールを示す数字１から１８、及びプッシュボタンＰ１〜Ｐ５に示されたそれぞれの地点を示す数字１から５に整合された認識コードを有するストロボ標示装置に点消灯指令を信号送信部の無線送信部を介して無線伝送するリモート制御部を備える」といえる。
　したがって、両者は、
「ゴルフ場のグリーン位置確認装置において、
　無線部と固有ＩＤを有する発光部と、前記発光部の点消灯を無線にて遠隔制御するリモコン部と、から構成し、
　前記リモコン部は、
　無線部と、
　制御対象発光部を選択する制御対象設定部と、
　発光部の点消灯を指令する実行ボタンと、
　前記実行ボタンの入力に応じて登録されたリモコン制御対象識別子に整合された固有ＩＤを有する発光部に点消灯指令を前記無線部を介して無線伝送するリモート制御部と、
を備え、
　前記発光部は、発光素子と、を備える、ゴルフ場のグリーン位置確認装置。」
　の点で一致し、以下の点で相違している。
［相違点１］
　グリーン位置確認装置に関し、本願補正発明は、「ピン位置確認装置」であるのに対し、引用発明１は、ゴルフコースのティグラウンドからグリーン奧に向けて所定間隔で配置されたストロボ発光する複数のストロボ標示装置である点。
［相違点２］
　発光部に関し、本願補正発明は、「フラッグが付けられホールピンとして用いられる旗竿の上側端に締付され、無線送受信部を有するピン位置確認用の」ものであり、「表面実装型発光ダイオードと、太陽電池部と、押下ボタンと、を備える」のに対し、引用発明１は、下部に３本の脚Ｓを装着した筺体Ｃ内に、受信機ＲＣが収納され、筺体Ｃの上面にはパイプＰを介し、発光管Ｌ（ストロボ発光素子）が配置されているものである点。
［相違点３］
　リモコン部に関し、本願補正発明は、「無線送受信部」を備え、「登録モードでスキャンを通じて無線受信された制御対象発光部の固有ＩＤを前記制御対象設定部のリモコン制御対象識別子と整合して内部メモリに登録されるように制御し」ているのに対し、引用発明１は、無線送信部を備えるが、登録モードといった制御は行われていない点。
　
（３）判断
　上記相違点３について以下検討する。
　引用発明３は、上記（１）（ウ）のとおりであって、引用発明３における「無線信号出力手段２６と無線信号受信手段２８とからなるもの」は、その構造、機能、作用等からみて、本願補正発明における「（発光部の）無線送受信部」に相当し、以下同様に、「ＩＤコード」は「固有ＩＤ」に、「リモコン装置」は「リモコン部」に、「無線信号受信手段３２と信号変調手段３６とからなるもの」は「（リモコン部の）無線送受信部」に、「識別コード記憶手段３５」は「内部メモリ」に、「制御手段３１」は「リモート制御部」に、それぞれ相当する。
　また、引用発明３における「リモコン装置」は、家電機器（エアコン室内機）の起動、及び停止を実効ボタンにより指令して無線にて遠隔制御するものであることは、明らかである。
　また、引用発明３における「リモコン装置」は、複数の同じ機種の家電機器と電波を介してデータ信号を双方向に交換するリモコン装置であって、初期設定時において、周辺に位置する同じ機種の全ての家電機器に対して、自身が属する住戸と用途に関する情報を有するＩＤコードを含むデータ信号を送り返してくることを要求する要求信号を発するとともに、送り返されてきた個々のデータ信号の電波強度を、所定時間、平均化処理に基づいて、選択したデータ信号に含まれるＩＤコードを、通信相手となる特定のＩＤコードとして登録するように構成しているから、「登録モードでスキャンを通じて無線受信された制御対象の家電機器（エアコン室内機）のＩＤコードを識別コード記憶手段３５に登録されるように制御する制御手段３１を備えている」といえる。
　してみると、引用発明３は、上記相違点３に係る本願補正発明の「リモコン部は、無線送受信部と、登録モードでスキャンを通じて無線受信された制御対象の固有ＩＤを内部メモリに登録されるように制御するリモート制御部を備える」との発明特定事項を備えるが、上記相違点３に係る本願補正発明のリモート制御部が、「制御対象発光部」の固有ＩＤを「制御対象設定部のリモコン制御対象識別子と整合して内部メモリに登録されるように制御し」との発明特定事項を備えていない。
　また、引用発明１は、ゴルフコース用ストロボ点灯制御システムという技術分野に属し、小形軽量で低消費電力型の可搬タイプのゴルフコース用ストロボ点灯制御システムを提供することを課題（段落【０００８】）とし、引用発明３は、リモコン装置という技術分野に属し、ＩＤコード受信や機器操作が簡単にでき、自己の管理下にある機器のみを制御対象として正しく設定する事ができるリモコン装置を提供することを課題（段落【０００８】）としている。
　してみると、両者の技術分野、及び課題は、異なるから、そもそも引用発明１に引用発明３を適用することは、当業者が容易に想到し得るものではない。
　また、上記（１）（イ）、（エ）、及び（オ）のとおり、引用発明２、引用例４に記載された事項、及び引用例５に記載された事項も、上記相違点３に係る本願発明の発明特定事項を備えるものではない。
　そして、本願補正発明は、上記相違点３に係る本願発明の発明特定事項を具備することにより、本願明細書に記載の「まるでリモコン部８にゴルフ場のピン位置を全て登録するかのようになり、ユーザーはプレイするゴルファーの要請に応じて所望のピンの発光部６を点消灯することが可能になる」（段落【００６７】）という作用効果を奏するものである。
　したがって、上記相違点１、及び２を検討するまでもなく、本願補正発明は、引用発明１ないし３、及び周知の技術事項（例えば、引用例４、５）に基づいて、当業者が容易に発明をすることができたものとすることはできない。
　
（４）むすび
　以上のとおりであって、本件補正は、特許法第１７条の２第６項において準用する同法第１２６条第７項の規定に適合する。
　
第３．本願の発明について
　本件補正は、上記のとおり、特許法第１７条の２第３項ないし第６項の規定に適合するから、本願の請求項１に係る発明は、本件補正により補正された特許請求の範囲の請求項１に記載された事項により特定されるとおりのものである。
　そして、本願については、原査定の拒絶理由を検討してもその理由によって拒絶すべきものとすることはできない。
　また、他に本願を拒絶すべき理由を発見しない。
　
　よって、結論のとおり審決する。